(57)【要約】【課題】複数種類のデータに基づく画像を結合した結合画像を表示させる際の利便性を向上させる。【解決手段】データに基づく画像を表示可能な表示部１２と、画像の表示の対象とするデータを選択する選択操作が可能な操作部と、選択操作に応じて画像を表示させるための表示用データをデータ生成部に生成させるデータ生成処理を実行する処理部とを備え、操作部は、データ形式が異なる複数種類のデータを選択操作によって選択可能に構成されると共に、選択された各データの種類毎に予め決められた様式の画像（Ｇｒ１，Ｇｒ２）を複数結合したレポート画像Ｇｒを表示させるための結合画像用データの生成を指示する指示操作が可能に構成され、処理部は、データ生成処理において、指示操作に応じて表示用データとしての結合画像用データをデータ生成部に生成させる。【選択図】図６
2017134551.tif 000002
【特許請求の範囲】
【請求項１】
データに基づく画像を表示可能な表示部と、前記画像の表示の対象とする前記データを選択する選択操作が可能な操作部と、前記選択操作に応じて前記画像を表示させるための表示用データをデータ生成部に生成させるデータ生成処理を実行する処理部とを備えた電子機器であって、
前記操作部は、データ形式が異なる複数種類の前記データを前記選択操作によって選択可能に構成されると共に、当該選択された前記各データの前記種類毎に予め決められた様式の前記画像を複数結合した結合画像を表示させるための結合画像用データの生成を指示する指示操作が可能に構成され、
前記処理部は、前記データ生成処理において、前記指示操作に応じて前記表示用データとしての前記結合画像用データを前記データ生成部に生成させる電子機器。
【請求項２】
前記処理部は、前記データ生成処理において、前記各画像を前記各データの種類および当該各データに含まれる情報によって特定される順番で並べて結合した前記結合画像を表示させるための前記結合画像用データを生成させる請求項１記載の電子機器。
【請求項３】
前記処理部は、前記データ生成処理において、当該電子機器の内部の前記データ生成部に前記結合画像用データを生成させる請求項１または２記載の電子機器。
【請求項４】
前記処理部は、前記データ生成処理において、当該電子機器の外部の前記データ生成部に前記結合画像用データを生成させる請求項１から３のいずれかに記載の電子機器。
【請求項５】
表示部、操作部および処理部を備えた電子機器に対して、データに基づく画像を表示させるための表示用データをデータ生成部に生成させるデータ生成処理を実行させる処理プログラムであって、
データ形式が異なる複数種類の前記データを選択する選択操作が前記操作部に対してされると共に、当該選択された前記各データの前記種類毎に予め決められた様式の前記画像を複数結合した結合画像を表示させるための結合画像用データの生成を指示する指示操作が前記操作部に対してされたときに、前記表示用データとしての前記結合画像用データをデータ生成部に生成させる前記データ生成処理を前記処理部に実行させる処理プログラム。
【発明の詳細な説明】
【技術分野】
【０００１】
本発明は、表示部、操作部および処理部を備えた電子機器、並びにデータに基づく画像を表示させるための表示用データをデータ生成部に生成させるデータ生成処理をその電子機器に実行させる処理プログラムに関するものである。
【背景技術】
【０００２】
この種の機器として、下記特許文献１において出願人が開示した携帯型端末が知られている。この携帯型端末は、操作部、ＧＰＳ受信部、記憶部、表示部および処理部等を備えて構成されている。この測定結果画像では、記憶部が、測定値を示す測定データ、測定位置を示す位置データ、および地図データを記憶し、処理部が、測定データに基づく測定値の画像と、位置データに基づく測定位置を表す記号と、地図データに基づく地図画像とを結合（合成）した測定結果画像を表示部に表示させることが可能となっている。
【先行技術文献】
【特許文献】
【０００３】
【特許文献１】特開２０１３−１９５３１４号公報（第５頁、第５図）
【発明の概要】
【発明が解決しようとする課題】
【０００４】
ところが、上記の携帯型端末には、改善すべき以下の課題が存在する。すなわち、上記の携帯型端末では、種類が異なる複数種類のデータに基づく画像（測定データに基づく測定値の画像、位置データに基づく測定位置を表す記号および地図データに基づく地図画像）を結合した測定結果画像を表示可能に構成されている。しかしながら、この携帯型端末では、測定結果画像として結合される画像の種類が予め決められているため、様々な種類のデータの中から任意に選択したデータに基づく画像を結合することができず、利便性が低いという課題が存在し、その改善が望まれている。
【０００５】
本発明は、かかる課題を解決すべくなされたものであり、複数種類のデータに基づく画像を結合した結合画像を表示させる際の利便性を向上し得る電子機器および表示プログラムを提供することを主目的とする。
【課題を解決するための手段】
【０００６】
上記目的を達成すべく請求項１記載の電子機器は、データに基づく画像を表示可能な表示部と、前記画像の表示の対象とする前記データを選択する選択操作が可能な操作部と、前記選択操作に応じて前記画像を表示させるための表示用データをデータ生成部に生成させるデータ生成処理を実行する処理部とを備えた電子機器であって、前記操作部は、データ形式が異なる複数種類の前記データを前記選択操作によって選択可能に構成されると共に、当該選択された前記各データの前記種類毎に予め決められた様式の前記画像を複数結合した結合画像を表示させるための結合画像用データの生成を指示する指示操作が可能に構成され、前記処理部は、前記データ生成処理において、前記指示操作に応じて前記表示用データとしての前記結合画像用データを前記データ生成部に生成させる。
【０００７】
また、請求項２記載の電子機器は、請求項１記載の電子機器において、前記処理部は、前記データ生成処理において、前記各画像を前記各データの種類および当該各データに含まれる情報によって特定される順番で並べて結合した前記結合画像を表示させるための前記結合画像用データを生成させる。
【０００８】
また、請求項３記載の電子機器は、請求項１または２記載の電子機器において、前記処理部は、前記データ生成処理において、当該電子機器の内部の前記データ生成部に前記結合画像用データを生成させる。
【０００９】
また、請求項４記載の電子機器は、請求項１から３のいずれかに記載の電子機器において、前記処理部は、前記データ生成処理において、当該電子機器の外部の前記データ生成部に前記結合画像用データを生成させる。
【００１０】
また、請求項５記載の表示プログラムは、表示部、操作部および処理部を備えた電子機器に対して、データに基づく画像を表示させるための表示用データをデータ生成部に生成させるデータ生成処理を実行させる処理プログラムであって、データ形式が異なる複数種類の前記データを選択する選択操作が前記操作部に対してされると共に、当該選択された前記各データの前記種類毎に予め決められた様式の前記画像を複数結合した結合画像を表示させるための結合画像用データの生成を指示する指示操作が前記操作部に対してされたときに、前記表示用データとしての前記結合画像用データをデータ生成部に生成させる前記データ生成処理を前記処理部に実行させる。
【発明の効果】
【００１１】
請求項１記載の電子機器、および請求項５記載の表示プログラムによれば、選択操作によって選択された複数のデータに基づく各画像を結合した結合画像を表示させるための結合画像用データを生成するデータ生成処理を実行することにより、結合される画像の種類が予め決められている従来の携帯型端末とは異なり、様々な種類のデータの中から任意に選択したデータに基づく画像を結合することができる。このため、この電子機器および処理プログラムによれば、複数種類のデータに基づく画像を結合した結合画像を表示させる際の利便性を十分に向上させることができる。
【００１２】
また、請求項２記載の電子機器によれば、各画像を各データの種類および各データに含まれる情報によって特定される順番で並べて結合した結合画像を表示させるための結合画像用データをデータ生成処理において生成させることにより、複数の結合画像用の複数の結合画像用データを生成させる際に、結合画像の様式を自動的に統一した様式とすることができるため、結合画像を表示させる際の利便性をさらに向上させることができる。
【００１３】
また、請求項３記載の電子機器によれば、データ生成処理において、電子機器の内部のデータ生成部に結合画像用データを生成させることにより、電子機器の外部のデータ生成部に結合画像用データを生成させる構成と比較して、外部のデータ生成部に対するデータ（選択操作によって選択された複数のデータ）の送信（出力）や、外部のデータ生成部によって生成された結合画像用データの受信（入力）が不要な分、操作性を十分に向上させることができる。
【００１４】
また、請求項４記載の電子機器によれば、データ生成処理において、電子機器の外部のデータ生成部に結合画像用データを生成させることにより、電子機器においてデータ生成の処理を行わない分、電子機器の処理の負担を軽減させることができる。
【図面の簡単な説明】
【００１５】
【図１】携帯型端末１の構成を示す構成図である。
【図２】初期画像Ｇｉの表示画像図である。
【図３】データ情報表示画像Ｇｄの表示画像図である。
【図４】表紙情報入力画像Ｇｆの表示画像図である。
【図５】レポートリスト画像ＧＬの表示画像図である。
【図６】レポート画像Ｇｒの第１の表示画像図である。
【図７】レポート画像Ｇｒの第２の表示画像図である。
【図８】レポート画像Ｇｒの第３の表示画像図である。
【図９】レポート画像Ｇｒの第４の表示画像図である。
【発明を実施するための形態】
【００１６】
以下、電子機器および表示プログラムの実施の形態について、添付図面を参照して、説明する。
【００１７】
最初に、図１に示す携帯型端末１（例えば、スマートフォン）の構成について説明する。携帯型端末１は、電子機器の一例であって、同図に示すように、記憶部１１、表示部１２、操作部１３、入出力部１４、カメラ１５および処理部１６を備えて構成され、各種の処理を実行する端末として機能する。また、携帯型端末１は、図外の音声入出力部を備えて電話機としても機能する。
【００１８】
記憶部１１は、後述するデータ生成処理を処理部１６に実行させる処理プログラムＰｄを記憶する。また、記憶部１１は、測定装置２（図１参照）から出力されて入出力部１４を介して入力した測定データＤｍ、カメラ１５から処理部１６に出力された写真データＤｐ、および入出力部１４を介して入力したり操作部１３を用いて入力したりした文書データＤｄ等を記憶する。なお、これらの各データＤｍ，Ｄｐ，Ｄｄが、データ形式が異なる複数種類のデータに相当する。また、記憶部１１は、処理部１６によって生成されるレポートデータＤｒ（結合画像用データに相当する）を記憶する。
【００１９】
表示部１２は、処理部１６の制御に従って各種の画像を表示する。具体的には、表示部１２は、記憶部１１に記憶されている各データ（上記した測定データＤｍ、写真データＤｐおよび文書データＤｄ等）の識別が可能な識別情報の一例として、データの生成日時、データサイズおよびデータ形式（例えば、図３に示す「測定data」、「撮像data」、「文書data」など）を示す文字情報を一覧にした第１一覧画像Ｇ１（図３参照）を表示する。また、表示部１２は、第１一覧画像Ｇ１の対象とするデータの条件を入力するための条件入力画像Ｇｃ（図３参照）を表示する。
【００２０】
また、表示部１２は、図６〜図９に示すレポート画像Ｇｒを表示する。このレポート画像Ｇｒは、結合画像の一例であって、データ形式が異なる複数種類のデータ（上記した各データＤｍ，Ｄｐ，Ｄｄ）に基づいてデータの種類毎に予め決められた様式の画像を、データの種類に対して予め決められた順番で並べた状態で結合して構成されている。
【００２１】
また、表示部１２は、レポート画像Ｇｒに付加する表紙の画像に含める表紙情報を入力するための表紙情報入力画像Ｇｆ（図４参照）、および記憶部１１に記憶されているレポートデータＤｒを識別可能な文字情報を一覧にしたレポートリスト画像ＧＬ（図５参照）を表示する。
【００２２】
操作部１３は、各種の操作ボタン（図示せず）を備えて構成され、これらのボタンが操作されたときに操作信号を出力する。また、操作部１３は、表示部１２の表面側に配設された図外のタッチパネルを備えており、タッチパネルに対する操作（タッチ操作）が行われたときにも操作信号を出力する。この場合、この携帯型端末１では、操作部１３のタッチパネルに対する操作として、外部機器としての測定装置２からの測定データＤｍの入力を指示する操作、第１一覧画像Ｇ１の対象とするデータの条件を入力する条件入力操作、第１一覧画像Ｇ１の表示を指示する第１表示指示操作、第１一覧画像Ｇ１が表示されている状態で１つ以上のデータを選択する第１選択操作（選択操作に相当する）、レポートデータＤｒの生成を指示する生成指示操作（指示操作に相当する）、レポートリスト画像ＧＬが表示されている状態で１つ以上のレポートデータＤｒを選択する第２選択操作、および選択したレポートデータＤｒに基づくレポート画像Ｇｒの表示を指示する第２表示指示操作などを行うことが可能となっている。また、表示部１２に表示されている第１一覧画像Ｇ１、レポートリスト画像ＧＬおよびレポート画像Ｇｒをスクロールさせる操作、これらの画像を縮小表示させたり拡大表示させたりする操作（ピンチイン操作およびピンチアウト操作）、カメラ１５に対して撮像を指示する撮像操作（シャッター操作）、並びに文字（文書）を入力する操作などを行うことも可能となっている。
【００２３】
入出力部１４は、処理部１６の制御に従い、測定装置２から出力（送信）される測定データＤｍを入力（受信）する。この場合、入出力部１４および測定装置２は、無線通信で測定データＤｍの入出力（送受信）を行う。
【００２４】
カメラ１５は、操作部１３に対して撮像操作（シャッター操作）がされたときに画像を撮像して写真データＤｐを出力する。
【００２５】
処理部１６は、操作部１３から出力される操作信号に従って携帯型端末１を構成する各部を制御する。また、処理部１６は、記憶部１１に記憶されている処理プログラムＰｄに従って各種の画像を表示部１２に表示させる処理を実行する。また、処理部１６は、データ生成部としても機能し（つまり、携帯型端末１は、データ生成部を備えている）、上記したレポートデータＤｒを生成するデータ生成処理を実行する。また、処理部１６は、第２表示指示操作に応じてレポートデータＤｒ（結合画像用データ）に基づくレポート画像Ｇｒ（結合画像）を表示部１２に表示させる表示処理を実行する。
【００２６】
次に、携帯型端末１の使用方法、および携帯型端末１の動作について、図面を参照して説明する。
【００２７】
この携帯型端末１では、外部から入力したデータを記憶部１１に記憶させることが可能となっている。例えば、図１に示す測定装置２によって測定された測定データＤｍを入力して記憶部１１に記憶させるときには、操作部１３を操作して測定データＤｍの入力を指示する。この際に、操作部１３が操作信号を出力し、処理部１６が操作信号に従って入出力部１４を制御して、測定装置２との間における通信を開始させる。次いで、測定装置２を操作して測定データＤｍの出力（送信）を開始する。続いて、入出力部１４が、測定データＤｍを入力（受信）し、処理部１６が、その測定データＤｍを記憶部１１に記憶させる。
【００２８】
また、この携帯型端末１は、カメラ１５を備えており、操作部１３に対する撮像操作によってカメラ１５で撮像した写真の写真データＤｐが、処理部１６の制御によって記憶部１１に記憶される。また、この携帯型端末１では、操作部１３を用いてメモなどの文書を入力することが可能となっており、入力された文書が文書データＤｄとして記憶部１１に記憶される。
【００２９】
一方、この携帯型端末１では、記憶部１１に記憶されているデータを出力（外部に送信）したり、記憶部１１に記憶されているデータを消去したり、記憶部１１に記憶されているデータに基づく画像を表示部１２に表示させたりする処理を行うことが可能となっている。
【００３０】
また、この携帯型端末１では、個々のデータに基づく各画像を単独で表示部１２に表示させるだけではなく、種類（データ形式）が異なる複数種類のデータに基づく画像を結合してレポート形式の１つのレポート画像Ｇｒ（結合画像）を表示させることが可能となっている。
【００３１】
このレポート画像Ｇｒを表示させるときは、図２に示すように、表示部１２に表示されている初期画像Ｇｉ内のアイコンＩｉ１の表示部位をタッチ操作（タッチパネルに対するタップ操作）する（第１表示指示操作）。この際に、操作部１３が操作信号を出力し、処理部１６が記憶部１１から処理プログラムＰｄを読み出す。
【００３２】
次いで、処理部１６は、図３に示すように、表示部１２の表示領域Ｄｅにデータ情報表示画像Ｇｄを表示させる。この場合、データ情報表示画像Ｇｄの第１表示領域Ｄｅ１には、第１一覧画像Ｇ１の対象とするデータの条件を入力するための条件入力画像Ｇｃ、および条件を満たすデータについての識別情報だけの一覧表示を指示するアイコンＩｓが表示される。また、データ情報表示画像Ｇｄの第２表示領域Ｄｅ２には、選択したデータに対して実行させる各処理を示すアイコンＩｄ１〜Ｉｄ４が表示される。
【００３３】
また、データ情報表示画像Ｇｄの第３表示領域Ｄｅ３には、図３に示すように、記憶部１１に記憶されている各データの識別情報をデータ毎に一覧にした第１一覧画像Ｇ１が表示される。この第１一覧画像Ｇ１では、一例として、５つの帯状領域Ｄｂを設け、１つの帯状領域Ｄｂに１つのデータを割り当てて、各帯状領域Ｄｂに各データの識別情報が表示される。また、この第１一覧画像Ｇ１では、同図に示すように、各帯状領域Ｄｂに、そのデータを選択したことを示すチェックマークＭｃを表示するサークルＭｒが表示される。この場合、データの数が第３表示領域Ｄｅ３に識別情報を表示可能な数（この例では、５つ）を超えるときには、処理部１６は、操作部１３に対するスクロール操作（タッチパネルに対するスワイプ操作やフリック操作）に応じて第１一覧画像Ｇ１をスクロールさせることで、表示される識別情報を切り替える。なお、上記したように、初期画像Ｇｉ内のアイコンＩｉ１をタッチ操作したときには、条件入力画像Ｇｃに対する条件の入力、およびアイコンＩｓに対する操作をすることなく、記憶部１１に記憶されている全ての各データの識別情報が第１一覧画像Ｇ１に一覧表示される。
【００３４】
続いて、第１一覧画像Ｇ１に一覧表示されている各識別情報の中から、レポート画像Ｇｒに含ませたい画像に対応する所望のデータの識別情報が表示されている帯状領域Ｄｂをタッチ操作する。この際に、処理部１６は、図３に示すように、タッチ操作した帯状領域Ｄｂ内のサークルＭｒ内に、その帯状領域Ｄｂに対応するデータが選択されたことを示すチェックマークＭｃを表示させる。この場合、同図に示すように、２つの測定データＤｍおよび１つの文書データＤｄにそれぞれ対応する帯状領域Ｄｂをタッチ操作して、これらの各データＤｍ，Ｄｄを選択したものとする。なお、帯状領域Ｄｂに対するタッチ操作が第１選択操作（選択操作）に相当する。
【００３５】
次いで、レポート画像Ｇｒを表示させるためのレポートデータＤｒ（表示用データとしての結合画像用表示データ）の生成を指示する。具体的には、図３に示すように、データ情報表示画像Ｇｄの第２表示領域Ｄｅ２に表示されているアイコンＩｄ１〜Ｉｄ４（以下、区別しないときには「アイコンＩｄ」ともいう）の中から、レポートデータＤｒの生成に対して割り当てられたアイコンＩｄ４の表示部位をタッチ操作する。なお、アイコンＩｄ４の表示部位に対するタッチ操作が生成指示操作（指示操作）に相当する。
【００３６】
これに応じて、処理部１６は、選択された２つの測定データＤｍおよび１つの文書データＤｄを記憶部１１から読み出し、続いて、処理部１６は、処理プログラムＰｄに従ってデータ生成処理を実行する。このデータ生成処理では、処理部１６は、表示部１２を制御して、図４に示すように、レポート画像Ｇｒに付加する表紙の画像に含める表紙情報を入力するための表紙情報入力画像Ｇｆを表示させる。
【００３７】
この場合、図４に示すように、表紙情報入力画像Ｇｆの第４表示領域Ｄｅ４には、表紙情報の一例としての「レポートタイトル」「レポートサブタイトル」「レポート提出先」「レポート作成者」の情報を入力する欄が表示され、表紙情報入力画像Ｇｆの第５表示領域Ｄｅ５には、入力した表紙情報の是非を確認するための「ＯＫ」「キャンセル」の確認画像が表示される。
【００３８】
次いで、操作部１３を操作して表紙情報入力画像Ｇｆ内に表紙情報を入力すると共に、「ＯＫ」の確認画像の表示部分をタッチ操作したときには、表紙情報を示す文書データＤｄが記憶部１１に記憶される。
【００３９】
続いて、処理部１６は、記憶部１１から読み出した２つの測定データＤｍおよび１つの文書データＤｄ、並びに表紙情報を示す文書データＤｄに基づいてレポートデータＤｒを生成する。具体的には、処理部１６は、データの種類毎に予め決められた様式で各データＤｍ，Ｄｄに基づく画像を生成する。この場合、測定データＤｍについては、一例として、図７に示すように、測定日時、測定地点および測定値を一覧表の形式にした画像や、図９に示すように、測定日時、測定地点および測定値の一覧表に測定値の経時変化を示す波形を加えた画像を生成する。また、文書データＤｄについては、図６，８に示すように、文字間隔や行間隔を予め決められた値に規定した文書形式の画像を生成する。
【００４０】
次いで、処理部１６は、各画像を結合する。この場合、処理部１６は、各画像を、各データの種類および各データに含まれる情報によって特定される順番で連続して並べて結合する。一例として、処理部１６は、表紙情報が含まれる文書データＤｄに基づく画像を１番目とし、他のデータ（この例では、２つの測定データＤｍ、および「メモ」を内容とする１つの文書データＤｄ：図３参照）に基づく画像については、各データが生成された日時の昇順（日時が古い順）で順番を特定し、各画像を縦方向に並べて結合する。なお、各画像の並びの順番は、上記した順番に限定されず、任意に規定することができる。また、各画像の並びの順番を使用者が変更操作によって任意に変更する構成を採用することもできる。
【００４１】
続いて、処理部１６は、レポート画像Ｇｒを示すレポートデータＤｒを生成して記憶部１１に記憶させる。この場合、処理部１６は、レポートデータＤｒを一例としてＰＤＦ形式で生成する。なお、ＰＤＦ形式の以外の形式として、ｊｐｇ、ｇｉｆ、ｐｎｇ、ｂｍｐ等の画像データ形式を採用することもできる。次いで、処理部１６は、表示部１２を制御して、図２に示す初期画像Ｇｉを表示させる。
【００４２】
続いて、レポートデータＤｒに基づくレポート画像Ｇｒを表示させるときには、図２に示すように、初期画像Ｇｉ内のアイコンＩｉ２の表示部位をタッチ操作する。これに応じて、処理部１６は、記憶部１１に記憶されているレポートデータＤｒを読み出す。次いで、処理部１６は、表示部１２を制御して、図５に示すように、レポートデータＤｒを識別可能な文字情報を示すレポートリスト画像ＧＬを表示させる。
【００４３】
この場合、図５に示すように、記憶部１１に複数のレポートデータＤｒが記憶されているときには、レポートリスト画像ＧＬの第６表示領域Ｄｅ６には、レポートデータＤｒを識別可能な識別情報がレポートデータＤｒ毎に一覧で表示される。また、レポートリスト画像ＧＬの第７表示領域Ｄｅ７には、選択したレポートデータＤｒに対して実行させる各処理を示すアイコンＩｄ１〜Ｉｄ３（上記したデータ情報表示画像Ｇｄ内に表示されるアイコンＩｄ１〜Ｉｄ３と同じアイコン：図３参照）が表示される。なお、記憶部１１に記憶されているレポートデータＤｒの数が多いときには、第６表示領域Ｄｅ６に対するスクロール操作に応じて、第６表示領域Ｄｅ６に一覧で表示させる識別情報をスクロール表示させることができる。
【００４４】
次いで、第６表示領域Ｄｅ６に表示されている識別情報の中から、所望のレポートデータＤｒの識別情報の表示部位をタッチ操作してそのレポートデータＤｒを選択する（第２選択操作）し、続いて、表示指示に対応するアイコンＩｄ１をタッチ操作する（第２表示指示操作）。これに応じて、処理部１６は、選択されたレポートデータＤｒを記憶部１１から読み出す、次いで、処理部１６は、表示部１２を制御して、図６〜図９に示すように、そのレポートデータＤｒに基づくレポート画像Ｇｒを表示させる表示処理を実行する。
【００４５】
図６〜図９に示すように、このレポート画像Ｇｒでは、表紙情報を示す画像が１番目に配置され、２番目以降の画像として、上記した第１選択操作（選択操作）によって選択されたデータに基づく画像が、各データの生成日時の昇順で縦方向に連続して並べられている。
【００４６】
この場合、図６〜図９に示すように、１画面にレポート画像Ｇｒのすべてを表示しきれないときには、レポート画像Ｇｒの表示部位に対してスクロール操作を行うことで、レポート画像Ｇｒ内の各画像をスクロール表示させることができる。具体的には、図６に示すように、表紙情報を示す文書データＤｄに基づく画像Ｇｒ１の下部に、１つの測定データＤｍに基づく測定日時、測定地点および測定値を一覧表の形式にした画像Ｇｒ２の一部だけが表示されているときには、上向きにスクロール操作することで、図７に示すように、画像Ｇｒ２のすべてが表示される。また、同図に示すように、画像Ｇｒ２の下部にメモを示す文書データＤｄに基づく画像Ｇｒ３の一部だけが表示されているときには、上向きにスクロール操作することで、図８に示すように画像Ｇｒ３のすべてが表示される。さらに、同図に示すように、画像Ｇｒ３の下部にもう１つの測定データＤｍに基づく測定値等の一覧表および波形の画像Ｇｒ４の一部だけが表示されているときには、上向きにスクロール操作することで、画像Ｇｒ４のすべてが表示される。なお、各画像Ｇｒ１〜Ｇｒ４を横方向に連続して並べて結合することもでき、このように結合したレポート画像Ｇｒのすべてを１画面に表示しきれないときには、横向きにスクロール操作を行うことで、レポート画像Ｇｒ内の各画像Ｇｒ１〜Ｇｒ４を順番に表示させることができる。
【００４７】
このように、この携帯型端末１および処理プログラムＰｄによれば、選択操作によって選択された複数のデータに基づく各画像を結合したレポート画像Ｇｒを表示させるためのレポートデータＤｒを生成するデータ生成処理を実行することにより、結合される画像の種類が予め決められている従来の携帯型端末とは異なり、様々な種類のデータの中から任意に選択したデータに基づく画像を結合することができる。このため、この携帯型端末１および処理プログラムＰｄによれば、複数種類のデータに基づく画像を結合したレポート画像Ｇｒを表示させる際の利便性を十分に向上させることができる。
【００４８】
また、この携帯型端末１および処理プログラムＰｄによれば、各画像を各データの種類および各データに含まれる情報によって特定される順番で並べて結合したレポート画像Ｇｒを表示させるためのレポートデータＤｒをデータ生成処理において生成させることにより、複数のレポート画像Ｇｒ用の複数のレポートデータＤｒを生成させる際に、レポート画像Ｇｒの様式を自動的に統一した様式とすることができるため、レポート画像Ｇｒを表示させる際の利便性をさらに向上させることができる。
【００４９】
また、この携帯型端末１および処理プログラムＰｄによれば、データ生成処理において、携帯型端末１の内部のデータ生成部にレポートデータＤｒを生成させることにより、携帯型端末１の外部のデータ生成部にレポートデータＤｒを生成させる構成と比較して、外部のデータ生成部に対するデータ（選択操作によって選択された複数のデータ）の送信（出力）や、外部のデータ生成部によって生成されたレポートデータＤｒの受信（入力）が不要な分、操作性を十分に向上させることができる。
【００５０】
なお、電子機器および表示プログラムは、上記の構成に限定されない。例えば、処理部１６がデータ生成部として機能して（データ生成部を備え）、データ生成処理において、データ生成部としての処理部１６がレポートデータＤｒを生成する例について上記したが、データ生成処理において、外部のデータ生成部に対してレポートデータＤｒを生成させる構成（データ生成部を備えていない構成）を採用することもできる。この構成によれば、処理部１６がデータ生成の処理を行わない分、処理部１６の処理の負担を軽減させることができる。
【００５１】
また、処理部１６が、レポートデータＤｒを生成するデータ生成処理、および外部のデータ生成部に対してレポートデータＤｒを生成させるデータ生成処理の双方を実行可能な構成を採用することもできる。
【００５２】
また、携帯型端末１の入出力部１４と測定装置２とが無線通信で測定データＤｍの入出力（送受信）を行う例について上記したが、入出力部１４と測定装置２とが通信用ケーブルを介して測定データＤｍの入出力を行う構成を採用することもできる。
【００５３】
また、レポート画像Ｇｒの表示態様（画像のデザインや、各データに基づく各画像を並べる順番）は一例であって、適宜変更することができる。
【００５４】
また、記憶部１１を備え、その記憶部１１に記憶されているデータを対象としてデータ生成処理を実行する例について上記したが、外部の記憶部に記憶されているデータを対象としてデータ生成処理を実行する構成（記憶部１１を備えていない構成）を採用することもできる。
【００５５】
また、電子機器としての携帯型端末１に適用した例について上記したが、電子機器は、携帯型端末１に限定されず、パーソナルコンピューターや測定装置が含まれる。したがって、パーソナルコンピューターや測定装置２において上記した処理プログラムＰｄを実行することで、携帯型端末１が有する機能をパーソナルコンピューターや測定装置２に付加することができる。
【００５６】
また、各種の操作（指示操作、選択操作、接触操作等）として操作部１３のタッチパネルに対するタッチ操作を行う例について上記したが、携帯型端末１にキーボードやポインティングデバイスの入力用デバイスを接続して、これらの入力用デバイスを用いた操作を上記した各種の操作として行う構成を採用することもできる。
【符号の説明】
【００５７】
１  携帯型端末
１２  表示部
１３  操作部
１６  処理部
Ｄｒ  レポートデータ
Ｇｒ  レポート画像
Ｇｒ１〜Ｇｒ４  画像
【図１】
2017134551.tif 000003
【図２】
2017134551.tif 000004
【図３】
2017134551.tif 000005
【図４】
2017134551.tif 000006
【図５】
2017134551.tif 000007
【図６】
2017134551.tif 000008
【図７】
2017134551.tif 000009
【図８】
2017134551.tif 000010
【図９】
2017134551.tif 000011